(57)【要約】【課題】  ポータブルコンピュータ装置と拡充シートの止め合わせ装置の提供。【解決手段】  ポータブルコンピュータ装置のケース背面及び拡充シートの背部支持板中に磁性装置が設けられ、ポータブルコンピュータ装置が拡充シートに挿入される時、磁性装置の磁性作用力により相互に吸引し、ポータブルコンピュータ装置が拡充シートの収容凹溝中に止め合わせられる。【選択図】        図１
2004272896.tif 000002
【特許請求の範囲】
【請求項１】
ポータブルコンピュータ装置と支持板及び拡充シートで構成されたポータブルコンピュータ装置と拡充シートの止め合わせ装置であり、
該ポータブルコンピュータ装置の背面に複数の第１凹溝が設けられ、各第１凹溝内に第１磁性物質が設置され、
該支持板は背部支持板と収容凹溝を具え、該収容凹溝はポータブルコンピュータ装置を直立状態を形成するように支持し、背部支持板は複数の第２凹溝を具え、各第２凹溝内に第２磁性物質が設置され、背部支持板が支持力を提供してポータブルコンピュータ装置を直立状態に維持し、
該拡充シートは支持板を支持し、そのうち、各第１凹溝がそのうち一つの第２凹溝に対応し、ポータブルコンピュータ装置が収容凹溝に置かれる時、各第１磁性物質と対応する第２磁性物質が相互に磁性吸引を形成してポータブルコンピュータ装置を支持板に止め合わせることを特徴とする、ポータブルコンピュータ装置と拡充シートの止め合わせ装置。
【請求項２】
請求項１記載のポータブルコンピュータ装置と拡充シートの止め合わせ装置において、ポータブルコンピュータ装置の周縁の少なくとも一つの側縁に第１コネクタが設けられ、前記収容凹溝に第２コネクタが設けられ、前記拡充シートに少なくとも一つの電子コネクタが設けられ、各電子コネクタが電気的に第２コネクタに接続され、ポータブルコンピュータ装置と支持板が止め合わされる時、該第１コネクタが第２コネクタに電気的に接続されることを特徴とする、ポータブルコンピュータ装置と拡充シートの止め合わせ装置。
【請求項３】
請求項１記載のポータブルコンピュータ装置と拡充シートの止め合わせ装置において、支持板を支持する支持フレームが設けられ、拡充シートにより該支持フレームが支持されたことを特徴とする、ポータブルコンピュータ装置と拡充シートの止め合わせ装置。
【請求項４】
請求項３記載のポータブルコンピュータ装置と拡充シートの止め合わせ装置において、支持フレームが支持アームを具え、該支持アームが拡充シートに接続されて支持フレームを支持することを特徴とする、ポータブルコンピュータ装置と拡充シートの止め合わせ装置。
【請求項５】
請求項１記載のポータブルコンピュータ装置と拡充シートの止め合わせ装置において、支持板がポータブルコンピュータ装置の底部を支持することを特徴とする、ポータブルコンピュータ装置と拡充シートの止め合わせ装置。
【請求項６】
請求項１記載のポータブルコンピュータ装置と拡充シートの止め合わせ装置において、支持フレームが回転器を具え、該回転器により支持板が回転可能とされたことを特徴とする、ポータブルコンピュータ装置と拡充シートの止め合わせ装置。
【請求項７】
請求項１記載のポータブルコンピュータ装置と拡充シートの止め合わせ装置において、背部支持板及び収容凹溝の表面に弾性物質が設けられたことを特徴とする、ポータブルコンピュータ装置と拡充シートの止め合わせ装置。
【発明の詳細な説明】
【技術分野】
【０００１】
本発明はポータブルコンピュータ装置と拡充シートの止め合わせ装置に係り、特に、磁性装置の相互吸引を利用してポータブルコンピュータ装置と拡充シートを止め合わせる装置に関する。
【背景技術】
【０００２】
タブレットコンピュータは使用者の移動に対応し、また一般のコンピュータ装置の強力な演算機能及び相容性を具え、その外形は薄く、コンパクトであるため、広く使用者に受け入れられている。しかし、タブレットコンピュータの機能は一般のコンピュータ装置よりもシンプルであるため、拡充シートと組み合わせることで豊富なサポート機能を獲得できるものとされている。このほか、タブレットコンピュータは一定の重量、例えば２．５ｋｇを有し、使用者がある定点、例えばオフィスに停留する時、使用者は自分が支持する代わりに拡充シートによりタブレットコンピュータの重量を載置することができる。このほか、拡充シートのタブレットコンピュータを支持する方式は傾斜方式であり、使用者がタブレットコンピュータを拡充シートに置く時、そのタブレットコンピュータの使用視角は人体工学に符合するものとされ、ゆえに拡充シートはタブレットコンピュータにとって重要な支持手段である。
【０００３】
一般に、タブレットコンピュータと拡充シートの間の止め合わせ方式の多くは機械構造を使用し、機械的噛み合わせを利用した位置決めの方法により、タブレットコンピュータと拡充シートの止め合わせ操作の要求を達成している。しかし、機械的噛み合わせによる位置決めには少なからぬ欠点がある。例えば機械的噛み合わせによる位置決めを達成するためには、複雑な機械構造が必要で、内部部品が磨損した場合に全体の機械構造が故障或いは損壊する。このほか、機械構造を組成する部品は多く、これは拡充シートの組立工程を複雑とし、製造コストを高くする。さらに機械構造の噛み合わせは無弾性の方式であり、使用上、力が必要で、また噛み合わせの解除が容易でない。
【発明の開示】
【発明が解決しようとする課題】
【０００４】
本発明の主要な目的は、緊密な止め合わせを提供できるポータブルコンピュータ装置と拡充シートの止め合わせ装置を提供することにある。
【０００５】
本発明の別の目的は、拡充シートの製造コストを減らせるポータブルコンピュータ装置と拡充シートの止め合わせ装置を提供することにある。
【０００６】
本発明のまた別の目的は、拡充シートの複雑性を減らして故障率を減らすことのできるポータブルコンピュータ装置と拡充シートの止め合わせ装置を提供することにある。
【課題を解決するための手段】
【０００７】
請求項１の発明は、ポータブルコンピュータ装置と支持板及び拡充シートで構成されたポータブルコンピュータ装置と拡充シートの止め合わせ装置であり、
該ポータブルコンピュータ装置の背面に複数の第１凹溝が設けられ、各第１凹溝内に第１磁性物質が設置され、
該支持板は背部支持板と収容凹溝を具え、該収容凹溝はポータブルコンピュータ装置を直立状態を形成するように支持し、背部支持板は複数の第２凹溝を具え、各第２凹溝内に第２磁性物質が設置され、背部支持板が支持力を提供してポータブルコンピュータ装置を直立状態に維持し、
該拡充シートは支持板を支持し、そのうち、各第１凹溝がそのうち一つの第２凹溝に対応し、ポータブルコンピュータ装置が収容凹溝に置かれる時、各第１磁性物質と対応する第２磁性物質が相互に磁性吸引を形成してポータブルコンピュータ装置を支持板に止め合わせることを特徴とする、ポータブルコンピュータ装置と拡充シートの止め合わせ装置としている。
請求項２の発明は、請求項１記載のポータブルコンピュータ装置と拡充シートの止め合わせ装置において、ポータブルコンピュータ装置の周縁の少なくとも一つの側縁に第１コネクタが設けられ、前記収容凹溝に第２コネクタが設けられ、前記拡充シートに少なくとも一つの電子コネクタが設けられ、各電子コネクタが電気的に第２コネクタに接続され、ポータブルコンピュータ装置と支持板が止め合わされる時、該第１コネクタが第２コネクタに電気的に接続されることを特徴とする、ポータブルコンピュータ装置と拡充シートの止め合わせ装置としている。
請求項３の発明は、請求項１記載のポータブルコンピュータ装置と拡充シートの止め合わせ装置において、支持板を支持する支持フレームが設けられ、拡充シートにより該支持フレームが支持されたことを特徴とする、ポータブルコンピュータ装置と拡充シートの止め合わせ装置としている。
請求項４の発明は、請求項３記載のポータブルコンピュータ装置と拡充シートの止め合わせ装置において、支持フレームが支持アームを具え、該支持アームが拡充シートに接続されて支持フレームを支持することを特徴とする、ポータブルコンピュータ装置と拡充シートの止め合わせ装置としている。
請求項５の発明は、請求項１記載のポータブルコンピュータ装置と拡充シートの止め合わせ装置において、支持板がポータブルコンピュータ装置の底部を支持することを特徴とする、ポータブルコンピュータ装置と拡充シートの止め合わせ装置としている。
請求項６の発明は、請求項１記載のポータブルコンピュータ装置と拡充シートの止め合わせ装置において、支持フレームが回転器を具え、該回転器により支持板が回転可能とされたことを特徴とする、ポータブルコンピュータ装置と拡充シートの止め合わせ装置としている。
請求項７の発明は、請求項１記載のポータブルコンピュータ装置と拡充シートの止め合わせ装置において、背部支持板及び収容凹溝の表面に弾性物質が設けられたことを特徴とする、ポータブルコンピュータ装置と拡充シートの止め合わせ装置としている。
【発明の効果】
【０００８】
本発明のポータブルコンピュータ装置と拡充シートの止め合わせ装置は、ポータブルコンピュータ装置のケース背面及び拡充シートの背部支持板中に磁性装置が設けられ、ポータブルコンピュータ装置が拡充シートに挿入される時、磁性装置の磁性作用力により相互に吸引し、ポータブルコンピュータ装置が拡充シートの収容凹溝中に止め合わされる。本発明の拡充シートは構造が簡単で、分解組合せが容易であり、製造コストも低く、またポータブルコンピュータ装置に安定した支持力を提供し、周知の技術よりも明らかな進歩性を有する。
【発明を実施するための最良の形態】
【０００９】
本発明はポータブルコンピュータ装置と拡充シートの止め合わせ装置を提供し、それはポータブルコンピュータ装置と支持板及び拡充シートで構成され、該ポータブルコンピュータ装置の背面に複数の第１凹溝が設けられ、各第１凹溝内に第１磁性物質が設置され、該支持板は背部支持板と収容凹溝を具え、該収容凹溝はポータブルコンピュータ装置を直立状態を形成するように載置するのに供され、背部支持板は複数の第２凹溝を具え、各第２凹溝内に第２磁性物質が設置され、背部支持板が支持力を提供してポータブルコンピュータ装置を直立状態に維持し、拡充シートは支持板を載置し、そのうち、各第１凹溝がそのうち一つの第２凹溝に対応し、ポータブルコンピュータ装置が収容凹溝に置かれる時、各第１磁性物質が対応する第２磁性物質と相互に磁性吸引を形成してポータブルコンピュータ装置を支持板に止め合わせることを特徴としている。
【実施例１】
【００１０】
図１は本発明の好ましい実施例の正面図である。ポータブルコンピュータ装置１は複数の側縁を具え、以下に下側縁１０を例として説明する。第１コネクタ１１が下側縁１０中に置かれる。ポータブルコンピュータ装置１の背面１２に複数の第１凹溝が設けられ、これは図２に示されるとおりであり、それはそれぞれ第１凹溝１１１、１１２、１１３及び１１４とされ、各第１凹溝内部に第１磁性物質が置かれ、ここでは四つの第１凹溝を設けた場合を例としているが、これに限定されるわけではない。そのうち、ポータブルコンピュータ装置１はタブレットコンピュータとされるのが望ましい。
【００１１】
図１、２に示されるように、拡充シート２５は以下の主要な部品を具えている。即ち、支持板２０、支持フレーム２８、支持シート２９である。支持フレーム２８は支持シート２９に接続され、並びに支持シート２９によりその重量が支持されている。支持フレーム２８にさらに回転器２７が設けられ、支持フレーム２８は該回転器２７により支持板２０に適当な支持力を提供して支持板２０の重量を支持する。このほか、回転器２７は支持板２０を回転させて支持板２０と支持フレーム２８の相対位置を改変するのに用いられ、例えば両者の夾角を０度或いは９０度とすることができる。このほか、支持シート２９に支持アーム４２が設けられて支持フレーム２８に更に強固な支持力を提供する。
【００１２】
そのうち、支持板２０は収容凹溝２２と背部支持板２６を具え、背部支持板２６は複数の第２凹溝２６１、２６２、２６３及び２６４を具え、各第２凹溝内に第２磁性物質が設置され、各第２凹溝はそのうち一つの第１凹溝に対応し、例えば第２凹溝２６１が第１凹溝１１１に対応し、第２凹溝２６２が第１凹溝１１２に対応し、第２凹溝２６３が第１凹溝１１３に対応し、第２凹溝２６４が第１凹溝１１４に対応する。注意すべきことは、第２凹溝と第１凹溝の対応関係は数量上の対応だけでなく、相対位置もまた対応していることである。そのうち、第２凹溝２６１、２６２、２６３及び２６４は好ましくは背部支持板２６の四つの角部に設けられる。
【００１３】
ポータブルコンピュータ装置１が拡充シート２５に置かれる時、第１凹溝内部の第１磁性物質第２凹溝内部の第２磁性物質と相互に磁性吸引力を発生し、相互に吸引する。これによりポータブルコンピュータ装置１が背部支持板２６の適当な位置（第１凹溝と対応する第２凹溝の位置により定められる）に吸引され、並びに相互の間に強力な付着力が発生し、外力によりこの付着の状態が改変されにくい。このほか、収容凹溝２２もまたポータブルコンピュータ装置１の重量を支持できる。上述の強力な付着力及び収容凹溝２２の支持力により、ポータブルコンピュータ装置１が拡充シート２５中に止め合わされる。
【００１４】
ポータブルコンピュータ装置１と背部支持板２６の止め合わせ関係を解除する時には、ポータブルコンピュータ装置１に磁性吸引力と反対の作用力を加えて、ポータブルコンピュータ装置１を背部支持板２６より離せば、磁性吸引力の作用を無くすことができ、さらにポータブルコンピュータ装置１を持ち上げて収容凹溝２２より取り外す。このとき、ポータブルコンピュータ装置１と背部支持板２６の止め合わせ関係が解除される。
【００１５】
このほか、収容凹溝２２及び背部支持板２６の表面に一層の弾性物質、例えばプラスチックソフトパッドを増設可能で、これによりポータブルコンピュータ装置を拡充シート２５に止め合わせる時の衝突を減らすことができる。
【００１６】
このほか、収容凹溝２２内に第２コネクタ２１を設置し、拡充シート２５にも複数のコネクタ、例えばＵＳＢコネクタ２８１、キーボードコネクタ２８２及びマウスコネクタ２８３を設置する。これは図２に示されるとおりである。しかしコネクタの種類は実際の必要に応じて決定し、これに限定するものではない。ＵＳＢコネクタ２８１、キーボードコネクタ２８２及びマウスコネクタ２８３は電気的に第２コネクタ２１に接続される。ポータブルコンピュータ装置１が拡充シート２５に止め合わされる時、第１コネクタ１１と第２コネクタ２１が電気的接続を形成し、ポータブルコンピュータ装置１が外部のＵＳＢ、キーボード或いはマウスの電子信号を受け取れるようにする。
【００１７】
本発明の拡充シート２５は構造が簡単で、分解組合せが容易であり、製造コストも低く、またポータブルコンピュータ装置に安定した支持力を提供し、周知の技術よりも明らかな進歩性を有する。
【図面の簡単な説明】
【００１８】
【図１】本発明の好ましい実施例の正面図である。
【図２】本発明の好ましい実施例の背面図である。
【符号の説明】
【００１９】
１  ポータブルコンピュータ装置        １０  下側縁          １１  第１コネクタ
１２  背面                            ２０  支持板          ２１  第２コネクタ
２２  収容凹溝                        ２５  拡充シート      ２６  背部支持板
２７  回転器                          ２８  支持フレーム    ２９  支持シート
４２  支持アーム                      １１１  第１凹溝      １１２  第１凹溝
１１３  第１凹溝                      １１４  第１凹溝      ２６１  第２凹溝
２６２  第２凹溝                      ２６３  第２凹溝      ２６４  第２凹溝
２８１  ＵＳＢコネクタ                ２８２  キーボードコネクタ
２８３  マウスコネクタ
【図１】
2004272896.tif 000003
【図２】
2004272896.tif 000004